(57)【要約】【課題】記録媒体に記録された複数のタイトルからストーリー分岐型のタイトルを編集する際に、連結元のタイトルおよび連結先のタイトルの内容を確かめながら、しかも連結状態も見ながら行うことができるようにする。【解決手段】各タイトルＴ１〜Ｔ６の代表画像が画面８０に表示される。ユーザがストーリー分岐型のタイトルの連結元代表画像を選択して指定すると、画面８０に表示された各タイトルＴ１〜Ｔ６の代表画像からタイトルＴ１の連結元代表画像が指定されてフォーカス状態になり、ストーリー分岐型のタイトルの連結先代表画像を選択して指定すると、画面８０に表示された各タイトルＴ１〜Ｔ６の代表画像からタイトルＴ２，Ｔ５の連結先代表画像が指定されてフォーカス状態になる。そして、タイトルＴ１の連結元代表画像とタイトルＴ２，Ｔ５の連結先代表画像との接続を示す矢印ａ，ｂが画面８０に表示される。【選択図】図３
2007102867.tif 000002
【特許請求の範囲】
【請求項１】
記録媒体としてのハードディスクに対して情報の記録／再生を行う情報記録再生装置に
おいて、
タイトル編集モードに設定された場合に前記ハードディスクに複数のタイトルが存在す
るか否かを判定するタイトル判定手段と、
前記複数のタイトルが存在すると判定された場合に、各タイトルの代表画像データを前
記ハードディスクから読み出す代表画像読出手段と、
前記読み出された各タイトルの代表画像データにより各タイトルの代表画像の表示をデ
ィスプレイ装置に行う代表画像表示手段と、
ユーザ操作によりストーリー分岐型のタイトルの連結元代表画像の指定操作があった時
に、前記ディスプレイ装置に表示された各タイトルの代表画像からストーリー分岐型のタ
イトルの連結元代表画像を指定してフォーカス状態にする連結元代表画像指定手段と、
ユーザ操作によりストーリー分岐型のタイトルの連結先代表画像の指定操作があった時
に、前記ディスプレイ装置に表示された各タイトルの代表画像からストーリー分岐型のタ
イトルの連結先代表画像を指定してフォーカス状態にする連結先代表画像指定手段と、
前記指定されたタイトルの連結元代表画像と前記指定されたタイトルの連結先代表画像
との接続を示す矢印の表示を前記ディスプレイ装置に行う矢印表示手段とを有する制御部
を備えたことを特徴とする情報記録再生装置。
【請求項２】
記録媒体に対して情報の記録／再生を行う情報記録再生装置において、タイトル編集モ
ードに設定され、前記記録媒体に複数のタイトルが存在すると判定された場合に、各タイ
トルの代表画像データを前記記録媒体から読み出して各タイトルの代表画像の表示をディ
スプレイ装置に行い、ユーザ操作によりストーリー分岐型のタイトルの連結元代表画像の
指定操作があった時に、前記ディスプレイ装置に表示された各タイトルの代表画像からス
トーリー分岐型のタイトルの連結元代表画像を指定してフォーカス状態にすると共に、ユ
ーザ操作によりストーリー分岐型のタイトルの連結先代表画像の指定操作があった時に、
前記ディスプレイ装置に表示された各タイトルの代表画像からストーリー分岐型のタイト
ルの連結先代表画像を指定してフォーカス状態にし、前記指定されたタイトルの連結元代
表画像と前記指定されたタイトルの連結先代表画像との接続を示す矢印の表示を前記ディ
スプレイ装置に行う制御部を備えたことを特徴とする情報記録再生装置。
【請求項３】
前記制御部は、タイトル編集モードに設定された場合に前記記録媒体に複数のタイトル
が存在するか否かを判定するタイトル判定手段と、前記複数のタイトルが存在すると判定
された場合に、各タイトルの代表画像データを前記記録媒体から読み出す代表画像読出手
段と、前記読み出された各タイトルの代表画像データにより各タイトルの代表画像の表示
をディスプレイ装置に行う代表画像表示手段と、ユーザ操作によりストーリー分岐型のタ
イトルの連結元代表画像の指定操作があった時に、前記ディスプレイ装置に表示された各
タイトルの代表画像からストーリー分岐型のタイトルの連結元代表画像を指定してフォー
カス状態にする連結元代表画像指定手段と、ユーザ操作によりストーリー分岐型のタイト
ルの連結先代表画像の指定操作があった時に、前記ディスプレイ装置に表示された各タイ
トルの代表画像からストーリー分岐型のタイトルの連結先代表画像を指定してフォーカス
状態にする連結先代表画像指定手段と、前記指定されたタイトルの連結元代表画像と前記
指定されたタイトルの連結先代表画像との接続を示す矢印の表示を前記ディスプレイ装置
に行う矢印表示手段とを有することを特徴とする請求項２に記載の情報記録再生装置。
【請求項４】
前記記録媒体としてはハードディスクを用いることを特徴とする請求項２または請求項
３に記載の情報記録再生装置。
【発明の詳細な説明】
【技術分野】
【０００１】
本発明は、記録媒体としてのハードディスクなどに対して情報の記録／再生を行う情報
記録再生装置に関し、特に、ストーリー分岐型のタイトルの編集処理に関する。
【背景技術】
【０００２】
近年、ＭＰＥＧ方式による画像データ圧縮技術や音声データ圧縮技術の採用によりハー
ドディスクやＤＶＤ（デジタル・バーサタイル・ディスク）には様々な種類のデータが混
在して記録される。ハードディスクやＤＶＤに記録される映像音声データとして、複数の
ストーリーに対応する映像音声データがあり、ユーザの選択に応じてストーリーの展開を
変えることができるマルチストーリー機能を実現することができる。前記ストーリーの展
開を変えると言うことは、例えば、あるドラマで、例えば、タイトルＴ１を視聴した後、
タイトルＴ２を選択して再生すれば、このドラマはハッピーエンドに終るが、タイトルＴ
５を選択して再生すれば、このドラマはバッドエンドに終ると言うように、ストーリーの
展開を変えることである。
【特許文献１】特開２０００−１６５８１７号公報
【特許文献２】特開２００１−２４３７４８号公報
【発明の開示】
【発明が解決しようとする課題】
【０００３】
このようなストーリー分岐型のタイトルを編集処理するハードディスクレコーダやＤＶ
Ｄレコーダなどの従来の情報記録再生装置では、リモコンの操作によりタイトル編集モー
ドに設定されると、ディスプレイ装置にストーリー分岐型の複数のタイトルの分岐状態を
示すストーリー一覧画面（例えば特許文献１に示すようなストーリー一覧画面）が表示さ
れ、連結元のタイトルと連結先のタイトルを、リモコンの操作により選択して指示し、再
生するときのタイトルの再生順を決定するためのタイトルの編集を行っている。
【０００４】
しかしながら、このような従来の情報記録再生装置では、ストーリー分岐型のタイトル
を編集する場合に、ストーリー一覧場面を見ながら、単に、リモコン操作によりタイトル
を連結していくだけであるので、ユーザが自分の目で、連結元のタイトルの内容と連結先
のタイトルの内容とを確かめることができず、また、タイトルがどのように連結されたか
を視覚的に確認しながら編集を行うことができないので、ストーリー分岐型のタイトルの
編集が煩雑になるという課題が生じる。
【０００５】
なお、特許文献１の従来技術は、ストーリーの一覧画面にタイトル内のストーリー分岐
の構造を示す模式図を表示し、分岐先のストーリー選択を容易にし、また、ストーリー分
岐の組み合わせを変えることにより、タイトルの再生内容を楽しむことができるように構
成しているが、このような構成において、ストーリー分岐型のタイトルの編集を行うと仮
定すれば、連結元のタイトルの代表画面と連結先のタイトルの代表画面とが表示されない
ので、連結元のタイトルの内容と連結先のタイトルの内容とを確かめながら編集を行うこ
とができないので、ユーザにとっては、タイトルの内容に不安感を持ってストーリー分岐
型のタイトルの編集を行わなければならないという課題が生じる。
【０００６】
特許文献２の従来技術は、記録媒体に記録された多数の情報を効率的に検索することが
可能な情報記録制御装置に関するもので、ストーリー分岐型のタイトルの編集を行える情
報記録再生装置に関するものではない。
【０００７】
本発明は、上記のような課題を解決するためになされたもので、記録媒体に記録された
複数のタイトルからストーリー分岐型のタイトルを編集する際に、連結元のタイトルおよ
び連結先のタイトルの内容を確かめながら、しかも連結状態も見ながら行うことができる
機能を有する情報記録再生装置を提供することを目的とする。
【課題を解決するための手段】
【０００８】
上記目的を達成するために、請求項１の発明は、記録媒体としてのハードディスクに対
して情報の記録／再生を行う情報記録再生装置において、タイトル編集モードに設定され
た場合に前記ハードディスクに複数のタイトルが存在するか否かを判定するタイトル判定
手段と、前記複数のタイトルが存在すると判定された場合に、各タイトルの代表画像デー
タを前記ハードディスクから読み出す代表画像読出手段と、前記読み出された各タイトル
の代表画像データにより各タイトルの代表画像の表示をディスプレイ装置に行う代表画像
表示手段と、ユーザ操作によりストーリー分岐型のタイトルの連結元代表画像の指定操作
があった時に、前記ディスプレイ装置に表示された各タイトルの代表画像からストーリー
分岐型のタイトルの連結元代表画像を指定してフォーカス状態にする連結元代表画像指定
手段と、ユーザ操作によりストーリー分岐型のタイトルの連結先代表画像の指定操作があ
った時に、前記ディスプレイ装置に表示された各タイトルの代表画像からストーリー分岐
型のタイトルの連結先代表画像を指定してフォーカス状態にする連結先代表画像指定手段
と、前記指定されたタイトルの連結元代表画像と前記指定されたタイトルの連結先代表画
像との接続を示す矢印の表示を前記ディスプレイ装置に行う矢印表示手段とを有する制御
部を備えたことを特徴とする情報記録再生装置を提供する。
【０００９】
この構成において、制御部は、タイトル編集モードに設定されたことを検出すると、タ
イトル判定手段により、ハードディスクに複数のタイトルが存在するか否かを判定し、複
数のタイトルがハードディスクに存在すると判定された場合に、制御部は、代表画像読出
手段により、各タイトルの代表画像データをハードディスクから読み出し、代表画像表示
手段により、各タイトルの代表画像の表示をディスプレイ装置に行う。
【００１０】
次に、ユーザがリモコンを操作して、ストーリー分岐型のタイトルの連結元代表画像を
選択して、この選択した連結元代表画像を指定すると、これに応答して、制御部は、連結
元代表画像指示手段により、連結元代表画像の指定操作があったことを認識し、ディスプ
レイ装置に表示された各タイトルの代表画像からストーリー分岐型のタイトルの連結元代
表画像を指定してフォーカス状態にする。
【００１１】
この後、ユーザがリモコンを操作して、ストーリー分岐型のタイトルの連結先代表画像
を選択して、この選択した連結先代表画像を指定すると、これに応答して、制御部は、連
結先代表画像指示手段により、連結先代表画像の指定操作があったことを認識し、ディス
プレイ装置に表示された各タイトルの代表画像からストーリー分岐型のタイトルの連結先
代表画像を指定してフォーカス状態にする。
【００１２】
このようにタイトルの連結元代表画像および連結先代表画像が指定された後、制御部の
矢印表示手段は、前記指定されたタイトルの連結元代表画像と前記指定されたタイトルの
連結先代表画像との接続を示す矢印の表示をディスプレイ装置に行う。
【００１３】
この構成によれば、ハードディスクに記録された複数のタイトルからストーリー分岐型
のタイトルを編集する際に、連結元のタイトルの代表画面および連結先のタイトルの代表
画面が表示され、また、連結状態も矢印で表示されるので、連結元のタイトルおよび連結
先のタイトルの内容を確かめながら、しかも連結状態も見ながら行うことができる。した
がって、ユーザ操作によりハードディスクに記録された複数のタイトルをストーリー分岐
型のタイトルとして容易に編集でき、また、編集したタイトルを他の記録媒体であるＤＶ
Ｄにも記録することができる。更に、ハードディスクに記録された複数のタイトルをスト
ーリー分岐型のタイトルとして編集することができることにより、複数のタイトルを一つ
にまとめることができて、タイトルの管理が容易になる。
【００１４】
請求項２の発明は、記録媒体に対して情報の記録／再生を行う情報記録再生装置におい
て、タイトル編集モードに設定され、前記記録媒体に複数のタイトルが存在すると判定さ
れた場合に、各タイトルの代表画像データを前記記録媒体から読み出して各タイトルの代
表画像の表示をディスプレイ装置に行い、ユーザ操作によりストーリー分岐型のタイトル
の連結元代表画像の指定操作があった時に、前記ディスプレイ装置に表示された各タイト
ルの代表画像からストーリー分岐型のタイトルの連結元代表画像を指定してフォーカス状
態にすると共に、ユーザ操作によりストーリー分岐型のタイトルの連結先代表画像の指定
操作があった時に、前記ディスプレイ装置に表示された各タイトルの代表画像からストー
リー分岐型のタイトルの連結先代表画像を指定してフォーカス状態にし、前記指定された
タイトルの連結元代表画像と前記指定されたタイトルの連結先代表画像との接続を示す矢
印の表示を前記ディスプレイ装置に行う制御部を備えたことを特徴とする情報記録再生装
置を提供する。
【００１５】
この構成において、タイトル編集モードに設定され、複数のタイトルが記録媒体に存在
すると判定された場合に、各タイトルの代表画像データが記録媒体から読み出され、各タ
イトルの代表画像がディスプレイ装置に表示される。次に、ユーザがリモコンを操作して
、ストーリー分岐型のタイトルの連結元代表画像を選択して、この選択した連結元代表画
像を指定すると、ディスプレイ装置に表示された各タイトルの代表画像からストーリー分
岐型のタイトルの連結元代表画像が指定されてフォーカス状態になる。
【００１６】
この後、ユーザがリモコンを操作して、ストーリー分岐型のタイトルの連結先代表画像
を選択して、この選択した連結先代表画像を指定すると、ディスプレイ装置に表示された
各タイトルの代表画像からストーリー分岐型のタイトルの連結先代表画像が指定されてフ
ォーカス状態になる。
【００１７】
このようにタイトルの連結元代表画像および連結先代表画像が指定された後、前記指定
されたタイトルの連結元代表画像と前記指定されたタイトルの連結先代表画像との接続を
示す矢印がディスプレイ装置に表示される。
【００１８】
この構成によれば、記録媒体に記録された複数のタイトルからストーリー分岐型のタイ
トルを編集する際に、連結元のタイトルの代表画面および連結先のタイトルの代表画面が
表示され、また、連結状態も矢印で表示されるので、連結元のタイトルおよび連結先のタ
イトルの内容を確かめながら、しかも連結状態も見ながら行うことができる。したがって
、ユーザ操作により記録媒体に記録された複数のタイトルをストーリー分岐型のタイトル
として容易に編集でき、また、編集したタイトルを他の記録媒体にも記録することができ
る。更に、記録媒体に記録された複数のタイトルをストーリー分岐型のタイトルとして編
集することができることにより、複数のタイトルを一つにまとめることができて、タイト
ルの管理が容易になる。
【００１９】
請求項３の発明では、請求項２の発明において、前記制御部は、タイトル編集モードに
設定された場合に前記記録媒体に複数のタイトルが存在するか否かを判定するタイトル判
定手段と、前記複数のタイトルが存在すると判定された場合に、各タイトルの代表画像デ
ータを前記記録媒体から読み出す代表画像読出手段と、前記読み出された各タイトルの代
表画像データにより各タイトルの代表画像の表示をディスプレイ装置に行う代表画像表示
手段と、ユーザ操作によりストーリー分岐型のタイトルの連結元代表画像の指定操作があ
った時に、前記ディスプレイ装置に表示された各タイトルの代表画像からストーリー分岐
型のタイトルの連結元代表画像を指定してフォーカス状態にする連結元代表画像指定手段
と、ユーザ操作によりストーリー分岐型のタイトルの連結先代表画像の指定操作があった
時に、前記ディスプレイ装置に表示された各タイトルの代表画像からストーリー分岐型の
タイトルの連結先代表画像を指定してフォーカス状態にする連結先代表画像指定手段と、
前記指定されたタイトルの連結元代表画像と前記指定されたタイトルの連結先代表画像と
の接続を示す矢印の表示を前記ディスプレイ装置に行う矢印表示手段とを有する。
【００２０】
したがって、前記制御部は、タイトル判定処理、代表画像読出処理、代表画像表示処理
、連結元代表画像指定処理、連結先代表画像指定処理、および矢印表示処理を実現でき、
これにより、記録媒体に記録された複数のタイトルからストーリー分岐型のタイトルを編
集する際に、連結元のタイトルの代表画面および連結先のタイトルの代表画面を表示する
ことが可能になり、また、連結状態も矢印で表示することが可能になる。
【００２１】
請求項４の発明では、請求項２または請求項３の発明において、前記記録媒体としては
ハードディスクが用いられた場合、多くのタイトルを記録することができ、また、タイト
ルの編集にも十分に記録領域を使用でき、タイトルの管理も容易になる。また、ハードデ
ィスクに記録されたタイトルを編集してＤＶＤにダビングすれば、そのＤＶＤを他の人に
渡せば、そのＤＶＤを受け取った人は自由にそのタイトルを楽しむこともできる。
【発明の効果】
【００２２】
以上のように本発明によれば、記録媒体としてのハードディスクに対して情報の記録／
再生を行う情報記録再生装置において、タイトル編集モードに設定された場合に前記ハー
ドディスクに複数のタイトルが存在するか否かを判定するタイトル判定手段と、前記複数
のタイトルが存在すると判定された場合に、各タイトルの代表画像データを前記ハードデ
ィスクから読み出す代表画像読出手段と、前記読み出された各タイトルの代表画像データ
により各タイトルの代表画像の表示をディスプレイ装置に行う代表画像表示手段と、ユー
ザ操作によりストーリー分岐型のタイトルの連結元代表画像の指定操作があった時に、前
記ディスプレイ装置に表示された各タイトルの代表画像からストーリー分岐型のタイトル
の連結元代表画像を指定してフォーカス状態にする連結元代表画像指定手段と、ユーザ操
作によりストーリー分岐型のタイトルの連結先代表画像の指定操作があった時に、前記デ
ィスプレイ装置に表示された各タイトルの代表画像からストーリー分岐型のタイトルの連
結先代表画像を指定してフォーカス状態にする連結先代表画像指定手段と、前記指定され
たタイトルの連結元代表画像と前記指定されたタイトルの連結先代表画像との接続を示す
矢印の表示を前記ディスプレイ装置に行う矢印表示手段とを有する制御部を備えたので、
ハードディスクに記録された複数のタイトルからストーリー分岐型のタイトルを編集する
際に、連結元のタイトルの代表画面および連結先のタイトルの代表画面が表示され、また
、連結状態も矢印で表示され、これにより、連結元のタイトルおよび連結先のタイトルの
内容を確かめながら、しかも連結状態も見ながら行うことができる。したがって、ユーザ
操作によりハードディスクに記録された複数のタイトルをストーリー分岐型のタイトルと
して容易に編集でき、また、編集したタイトルを他の記録媒体であるＤＶＤにも記録する
ことができる。更に、ハードディスクに記録された複数のタイトルをストーリー分岐型の
タイトルとして編集することができることにより、複数のタイトルを一つにまとめること
ができて、タイトルの管理が容易になる。
【００２３】
また、本発明によれば、記録媒体に対して情報の記録／再生を行う情報記録再生装置に
おいて、タイトル編集モードに設定され、前記記録媒体に複数のタイトルが存在すると判
定された場合に、各タイトルの代表画像データを前記記録媒体から読み出して各タイトル
の代表画像の表示をディスプレイ装置に行い、ユーザ操作によりストーリー分岐型のタイ
トルの連結元代表画像の指定操作があった時に、前記ディスプレイ装置に表示された各タ
イトルの代表画像からストーリー分岐型のタイトルの連結元代表画像を指定してフォーカ
ス状態にすると共に、ユーザ操作によりストーリー分岐型のタイトルの連結先代表画像の
指定操作があった時に、前記ディスプレイ装置に表示された各タイトルの代表画像からス
トーリー分岐型のタイトルの連結先代表画像を指定してフォーカス状態にし、前記指定さ
れたタイトルの連結元代表画像と前記指定されたタイトルの連結先代表画像との接続を示
す矢印の表示を前記ディスプレイ装置に行う制御部を備えたので、記録媒体に記録された
複数のタイトルからストーリー分岐型のタイトルを編集する際に、連結元のタイトルの代
表画面および連結先のタイトルの代表画面が表示され、また、連結状態も矢印で表示され
、これにより、連結元のタイトルおよび連結先のタイトルの内容を確かめながら、しかも
連結状態も見ながら行うことができる。したがって、ユーザ操作により記録媒体に記録さ
れた複数のタイトルをストーリー分岐型のタイトルとして容易に編集でき、また、編集し
たタイトルを他の記録媒体にも記録することができる。更に、記録媒体に記録された複数
のタイトルをストーリー分岐型のタイトルとして編集することができることにより、複数
のタイトルを一つにまとめることができて、タイトルの管理が容易になる。
【発明を実施するための最良の形態】
【００２４】
以下、添付図面を参照しつつ、本発明の実施の形態について説明する。図１は本発明の
一実施形態に係る情報記録再生装置としてのハードディスクレコーダの構成を示すブロッ
ク図である。
【００２５】
このハードディスクレコーダは、テレビ放送の映像音声信号を受信して選局するチュー
ナを有する受信部１、この受信部１からのアナログ映像音声信号のうちアナログ映像信号
をデジタル映像信号に変換するＡ／Ｄ変換部２、外部から入力されてくるアナログ映像信
号をデジタル映像信号に変換するＡ／Ｄ変換部３、これらＡ／Ｄ変換部２，３で変換され
たデジタル映像信号をＭＰＥＧ方式で圧縮処理する圧縮処理部４、前記圧縮処理された映
像データをハードディスク（ＨＤ）５ａに記録するＨＤＤ（ハードディスクドライブ）５
、およびＨＤＤ５から読み出した映像データを元の映像データに復元する伸張処理部６を
備えている。
【００２６】
また、このハードディスクレコーダは、前記復元した映像データをデジタル信号からア
ナログ信号に変換してディスプレイ装置８に映像信号を供給するＤ／Ａ変換部７、圧縮処
理部４による圧縮処理時や伸張処理部６による伸張処理時に映像データを一時的に格納す
るＲＡＭ９、装置全体の動作を制御する制御部１０、この制御部１０に各種キー操作信号
を入力する本体のキー入力部１１、リモコン１３からの赤外線の各種キー操作信号を受信
するキー受信部１２、および制御部１０の処理に必要なプログラムやデータなどが記録さ
れたフラッシュＲＯＭ１４を備えている。
【００２７】
前記制御部１０は、本実施形態の特徴とする構成要素として、タイトル編集モードに設
定された場合にＨＤ５ａに複数のタイトルが存在するか否かを判定するタイトル判定手段
と、前記複数のタイトルが存在すると判定された場合に、各タイトルの代表画像データを
ＨＤ５ａから読み出す代表画像読出手段と、前記読み出された各タイトルの代表画像デー
タにより各タイトルの代表画像の表示をディスプレイ装置８に行う代表画像表示手段と、
ユーザ操作によりストーリー分岐型のタイトルの連結元代表画像の指定操作があった時に
、ディスプレイ装置８に表示された各タイトルの代表画像からストーリー分岐型のタイト
ルの連結元代表画像を指定してフォーカス状態にする連結元代表画像指定手段と、ユーザ
操作によりストーリー分岐型のタイトルの連結先代表画像の指定操作があった時に、ディ
スプレイ装置８に表示された各タイトルの代表画像からストーリー分岐型のタイトルの連
結先代表画像を指定してフォーカス状態にする連結先代表画像指定手段と、前記指定され
たタイトルの連結元代表画像と前記指定されたタイトルの連結先代表画像との接続を示す
矢印の表示をディスプレイ装置８に行う矢印表示手段とを有する。
【００２８】
図２は本実施形態においてストーリー分岐型のタイトルがディスプレイ装置に表示され
た様子の一例を示す表示画面図である。図２において、８０はディスプレイ装置の画面を
示し、この画面８０には、タイトルＴ１の代表画像が表示されている表示領域８１、タイ
トルＴ２の代表画像が表示されている表示領域８２、タイトルＴ３の代表画像が表示され
ている表示領域８３、タイトルＴ４の代表画像が表示されている表示領域８４、タイトル
Ｔ５の代表画像が表示されている表示領域８５、およびタイトルＴ６の代表画像が表示さ
れている表示領域８６を有している。
【００２９】
図３は図２に示す画面８０において選択されたタイトルが連結された様子の一例を示す
表示画面図である。図３の画面８０では、タイトルＴ１とタイトルＴ２が矢印ａによって
連結され、タイトルＴ１とタイトルＴ５が矢印ｂによって連結されている。タイトルＴ１
から分岐したいタイトルが、タイトルＴ２とタイトルＴ５であることを示している。タイ
トルＴ１とタイトルＴ２とタイトルＴ５は、ユーザがリモコン１３のカーソルキーおよび
エンタ−キーなどを操作することにより指定され、これら指定されたタイトルＴ１，Ｔ２
，Ｔ５の表示領域８１，８２，８５は、枠線の表示色を他の表示領域８３，８４，８６の
枠線の表示色と異なった色で表示したり、あるいは画像自体の色を変えたりするフォーカ
ス状態になっている。
【００３０】
図４は図３に示す画面８０において選択されたタイトルが更に連結された様子の一例を
示す表示画面図である。図４の画面８０では、タイトルＴ１とタイトルＴ２が矢印ａによ
って連結され、タイトルＴ１とタイトルＴ５が矢印ｂによって連結され、更に、タイトル
Ｔ５とタイトルＴ６が矢印ｃによって連結されている。タイトルＴ１から分岐したいタイ
トルが、タイトルＴ２とタイトルＴ５であることを示し、更に、タイトルＴ５と連結した
いタイトルがタイトルＴ６であることを示している。これら指定されたタイトルＴ１，Ｔ
２，Ｔ５，Ｔ６の表示領域８１，８２，８５，８６は、枠線の表示色を他の表示領域８３
，８４の枠線の表示色と異なった色で表示したり、あるいは画像自体の色を変えたりする
フォーカス状態になっている。
【００３１】
図５は本実施形態においてストーリー分岐型のタイトルを再生する際にタイトルを選択
するときのメッセージがディスプレイ装置に表示されている一例を示す表示画面図である
。図５において、ディスプレイ装置の画面８０には、「タイトルＴ１が終了しました。」
「タイトルＴ２を選択しますか  ＹＥＳ」「タイトルＴ５を選択しますか  ＹＥＳ」が表
示されている。リモコン１３のカーソルキーを操作して「タイトルＴ２を選択しますか  
ＹＥＳ」のＹＥＳを選択してエンタ−キーを押下すれば、タイトルＴ２が指定され、カー
ソルキーを操作して「タイトルＴ５を選択しますか  ＹＥＳ」のＹＥＳを選択してエンタ
−キーを押下すれば、タイトルＴ５が指定される。
【００３２】
図６は本実施形態においてストーリー分岐型のタイトルを再生する際にタイトルを選択
するときのタイトルの代表画像がディスプレイ装置に表示されている一例を示す表示画面
図である。図６において、ディスプレイ装置の画面８０には、「タイトルＴ１が終了しま
した。どちらのタイトルを選択しますか」と言うメッセージが表示されている。そして、
タイトルＴ２の代表画像が表示領域８２に表示され、タイトルＴ５の代表画像が表示領域
８５に表示されている。リモコン１３のカーソルキーを操作してタイトルＴ２を選択して
エンタ−キーを押下すれば、タイトルＴ２が指定され、カーソルキーを操作してタイトル
Ｔ５を選択してエンタ−キーを押下すれば、タイトルＴ５が指定される。
【００３３】
図７は本実施形態においてストーリー型のタイトルを編集する処理を説明するためのフ
ローチャートである。このフローチャートおよび図１〜図３を参照してストーリー型のタ
イトルを編集する処理について説明する。
【００３４】
先ず、ユーザはリモコン１３を操作してタイトル編集モードに設定するための赤外線操
作信号をリモコン１３から送信させると、この赤外線操作信号はキー受信部１２で受信さ
れて電気信号の操作信号に変換され、この操作信号は制御部１０に与えられる。これによ
り、制御部１０は、タイトル編集モードに設定されたことを検出し（ステップＳ１）、タ
イトル判定手段により、ＨＤ（ハードディスク）５ａに複数のタイトルが存在するか否か
を判定する（ステップＳ２）。即ち、制御部１０は、ＨＤＤ（ハードディスクドライブ）
５を駆動させ、ＨＤ５ａのディスク情報を読み出し、このディスク情報により複数のタイ
トルがＨＤ５ａに存在するか否かを判定する。
【００３５】
そして、複数のタイトルがＨＤ５ａに存在すると判定された場合に、制御部１０は、代
表画像読出手段により、各タイトルの代表画像データを、ＨＤＤ５を介してＨＤ５ａから
読み出し（ステップＳ３）、前記読み出された各タイトルの代表画像データを伸張処理部
６により元の代表画像データに伸張処理し、更に、Ｄ／Ａ変換部７でアナログの代表画像
信号に変換し、代表画像表示手段により、各タイトルの代表画像の表示をディスプレイ装
置８に行う（ステップＳ４）。例えば、図２で説明したように、画面８０に、タイトルＴ
１，Ｔ２，Ｔ３，Ｔ４，Ｔ５，Ｔ６の各代表画像を表示させる。これらの代表画像は、静
止画像でも良いし、サムネイル画像のように特定の動画像でも良い。
【００３６】
次に、ユーザがリモコン１３のカーソルキーを操作して、ストーリー分岐型のタイトル
の連結元代表画像を選択して、この選択した連結元代表画像をリモコン１３のエンタ−キ
ーを押下することにより指定すると、これに応答して、制御部１０は、連結元代表画像指
示手段により、連結元代表画像の指定操作があったことを認識し（ステップＳ６）、ディ
スプレイ装置８に表示された各タイトルの代表画像からストーリー分岐型のタイトルの連
結元代表画像を指定してフォーカス状態にする（ステップＳ７）。例えば、図３で説明し
たように、タイトルの連結元代表画像がタイトルＴ１の画像であった場合、このタイトル
Ｔ１の代表画像が指定され、例えば、表示領域８１の枠がフォーカス状態になる。
【００３７】
この後、ユーザがリモコン１３のカーソルキーを操作して、ストーリー分岐型のタイト
ルの連結先代表画像を選択して、この選択した連結先代表画像をリモコン１３のエンタ−
キーを押下することにより指定すると、これに応答して、制御部１０は、連結先代表画像
指示手段により、連結先代表画像の指定操作があったことを認識し（ステップＳ８）、デ
ィスプレイ装置８に表示された各タイトルの代表画像からストーリー分岐型のタイトルの
連結先代表画像を指定してフォーカス状態にする（ステップＳ９）。例えば、図３で説明
したように、タイトルＴ１の連結先代表画像がタイトルＴ２またはタイトルＴ５の画像で
あった場合、このタイトルＴ２，Ｔ５の代表画像が指定され、例えば、表示領域８２，８
５の枠もフォーカス状態になる。
【００３８】
このようにタイトルの連結元代表画像および連結先代表画像が指定された後、制御部１
０の矢印表示手段は、前記指定されたタイトルの連結元代表画像と前記指定されたタイト
ルの連結先代表画像との接続を示す矢印の表示をＯＳＤ処理によりディスプレイ装置８に
行う（ステップＳ１０）。例えば、図３で説明したように、タイトルＴ１とタイトルＴ２
が矢印ａによって接続され、タイトルＴ１とタイトルＴ５が矢印ｂによって接続される。
そして、ユーザが希望する全てのタイトルの編集が終了すれば（ステップＳ５）、本処理
は終える。
【００３９】
以上説明したように本実施形態によれば、ハードディスクに記録された複数のタイトル
からストーリー分岐型のタイトルを編集する際に、連結元のタイトルの代表画面および連
結先のタイトルの代表画面が表示され、また、連結状態も矢印で表示され、これにより、
連結元のタイトルおよび連結先のタイトルの内容を確かめながら、しかも連結状態も見な
がら行うことができる。したがって、ユーザ操作によりハードディスクに記録された複数
のタイトルをストーリー分岐型のタイトルとして容易に編集でき、また、編集したタイト
ルを他の記録媒体であるＤＶＤにも記録することができる。更に、ハードディスクに記録
された複数のタイトルをストーリー分岐型のタイトルとして編集することができることに
より、複数のタイトルを一つにまとめることができて、タイトルの管理が容易になる。
【００４０】
なお、上記実施形態では、情報記録再生装置としてハードディスクレコーダにおけるス
トーリー分岐型のタイトルの編集処理について説明したが、これに限らず、情報記録再生
装置としてはＤＶＤレコーダにおいても、本ストーリー分岐型のタイトルの編集処理を採
用でき、また、ハードディスクレコーダとＤＶＤレコーダとが備えられた複合型ディスク
記録再生装置においても、本ストーリー分岐型のタイトルの編集処理を採用できることは
言うまでもない。
【図面の簡単な説明】
【００４１】
【図１】本発明の一実施形態に係る情報記録再生装置としてのハードディスクレコーダの構成を示すブロック図である。
【図２】前記実施形態においてストーリー分岐型のタイトルがディスプレイ装置に表示された様子の一例を示す表示画面図である。
【図３】図２に示す画面において選択されたタイトルが連結された様子の一例を示す表示画面図である。
【図４】図３に示す画面において選択されたタイトルが更に連結された様子の一例を示す表示画面図である。
【図５】前記実施形態においてストーリー分岐型のタイトルを再生する際にタイトルを選択するときのメッセージがディスプレイ装置に表示されている一例を示す表示画面図である。
【図６】前記実施形態においてストーリー分岐型のタイトルを再生する際にタイトルを選択するときのタイトルの代表画像がディスプレイ装置に表示されている一例を示す表示画面図である。
【図７】前記実施形態においてストーリー型のタイトルを編集する処理を説明するためのフローチャートである。
【符号の説明】
【００４２】
５ａ    ハードディスク（記録媒体）
８    ディスプレイ装置
１０    制御部（タイトル判定手段、代表画像読出手段、代表画像表示手段、連結元代
表画像指示手段、連結先代表画像表示手段、矢印表示手段）
【図１】
2007102867.tif 000003
【図２】
2007102867.tif 000004
【図３】
2007102867.tif 000005
【図４】
2007102867.tif 000006
【図５】
2007102867.tif 000007
【図６】
2007102867.tif 000008
【図７】
2007102867.tif 000009